(57)【要約】【課題】  ２つのケーブル管理装置を含む支持アセンブリを提供すること。【解決手段】  支持アセンブリは第１のスライドレールアセンブリと、第２のスライドレールアセンブリと、第１のケーブル管理装置と、第２のケーブル管理装置とを含む。第１のスライドレールアセンブリは第１のレールと、該第１のレールに対して可動な第２のレールとを含む。第２のスライドレールアセンブリは第３のレールと、該第３のレールに対して可動な第４のレールとを含む。第１のケーブル管理装置は第１のスライドレールアセンブリの第２のレール及び第２のスライドレールアセンブリの第４のレールに取り付けられる。第２のケーブル管理装置は第１のケーブル管理アーム及び第２のケーブル管理アームを含む。第１のケーブル管理アームは第１のスライドレールアセンブリの第１のレールに取り付けられ、第２のケーブル管理アームは第１のスライドレールアセンブリの第２のレールに取り付けられる。【選択図】  図１
2020017714.tif 000002
【特許請求の範囲】
【請求項１】
第１のレールと、該第１のレールに対して可動な第２のレールとを含む第１のスライドレールアセンブリと、
第３のレールと、該第３のレールに対して可動な第４のレールとを含む第２のスライドレールアセンブリと、
前記第１のスライドレールアセンブリの第２のレール及び前記第２のスライドレールアセンブリの第４のレールに取り付けられる第１のケーブル管理装置と、
第１のケーブル管理アーム及び第２のケーブル管理アームを含む第２のケーブル管理装置であって、該第１のケーブル管理アームは前記第１のスライドレールアセンブリの第１のレールに取り付けられ、該第２のケーブル管理アームは前記第１のスライドレールアセンブリの第２のレールに取り付けられる、第２のケーブル管理装置と、
を含む支持アセンブリ。
【請求項２】
前記第１のケーブル管理アームの一端は前記第２のケーブル管理アームの一端に枢結され、前記第１のケーブル管理アームの他端は前記第１のスライドレールアセンブリの第１のレールに取り外し可能に取り付けられ、前記第２のケーブル管理アームの他端は前記第１のスライドレールアセンブリの第２のレールに取り外し可能に取り付けられ、
前記第１のスライドレールアセンブリは、前記第１のレールに対する前記第２のレールの移動範囲を延ばすために前記第１のレール及び前記第２のレールを可動に接続する第１の中間レールをさらに含み、
前記第２のスライドレールアセンブリは、前記第３のレールに対する前記第４のレールの移動範囲を延ばすために前記第３のレール及び前記第４のレールを可動に接続する第２の中間レールをさらに含み、
前記第２のケーブル管理装置は少なくとも１つの支持バーをさらに含み、
前記少なくとも１つの支持バーは前記第１のケーブル管理アーム及び前記第２のケーブル管理アームのうちの一方を支持するように構成され、
前記少なくとも１つの支持バーの２つの端部のうちの一方は前記第１のスライドレールアセンブリの第１の中間レールに取り付けられ、前記少なくとも１つの支持バーの２つの端部のうちの他方は前記第２のスライドレールアセンブリの第３のレールの通路又は前記第２のスライドレールアセンブリの第２の中間レールのうちの一方に取り付けられるか又は前記第２のスライドレールアセンブリの第３のレールに枢結される、請求項１に記載の支持アセンブリ。
【請求項３】
前記第１のケーブル管理装置は第１のクロスバーと、該第１のクロスバーに可動に接続される第２のクロスバーとを含み、
前記第１のクロスバーは前記第１のスライドレールアセンブリの第２のレールに取り外し可能に取り付けられ、前記第２のクロスバーは前記第２のスライドレールアセンブリの第４のレールに取り外し可能に取り付けられ、前記第２のクロスバーは伸縮可能に前記第１のクロスバーに接続されている、請求項１に記載の支持アセンブリ。
【請求項４】
ラックシステムのための支持アセンブリであって、当該支持アセンブリは、
前記ラックシステムの第１の側に取り付けられる第１のスライドレールアセンブリと、
前記ラックシステムの第２の側に取り付けられる第２のスライドレールアセンブリと、
前記第１のスライドレールアセンブリと前記第２のスライドレールアセンブリとの間に取り付けられる保持物体と、
第１のケーブル管理装置と、
第２のケーブル管理装置と、
を含み、
前記第１のケーブル管理装置は前記保持物体と前記第２のケーブル管理装置との間にあり、前記第１のケーブル管理装置は前記保持物体の前側ケーブル区画が配置されるように構成され、
前記第２のケーブル管理装置は前記保持物体の後ろ側ケーブル区画が配置されるように構成されている、支持アセンブリ。
【請求項５】
前記保持物体は前記第１のケーブル管理装置の前側にあり、前記第２のケーブル管理装置は前記第１のケーブル管理装置の後ろ側にある、請求項４に記載の支持アセンブリ。
【請求項６】
前記第１のスライドレールアセンブリは第１のレールと、該第１のレールに対して可動な第２のレールとを含み、前記第２のスライドレールアセンブリは第３のレールと、該第３のレールに対して可動な第４のレールとを含む、請求項４に記載の支持アセンブリ。
【請求項７】
前記第２のケーブル管理装置は第１のケーブル管理アーム及び第２のケーブル管理アームを含み、前記第１のケーブル管理アームの一端は前記第２のケーブル管理アームの一端に枢結され、前記第１のケーブル管理アームの他端は前記第１のスライドレールアセンブリの第１のレールに取り外し可能に取り付けられ、前記第２のケーブル管理アームの他端は前記第１のスライドレールアセンブリの第２のレールに取り外し可能に取り付けられ、
前記第１のスライドレールアセンブリは、前記第１のレールに対する前記第２のレールの移動範囲を延ばすために前記第１のレール及び前記第２のレールを可動に接続する第１の中間レールをさらに含み、
前記第２のスライドレールアセンブリは、前記第３のレールに対する前記第４のレールの移動範囲を延ばすために前記第３のレール及び前記第４のレールを可動に接続する第２の中間レールをさらに含み、
前記第２のケーブル管理装置は少なくとも１つの支持バーをさらに含み、
前記少なくとも１つの支持バーは前記第１のケーブル管理アーム及び前記第２のケーブル管理アームのうちの一方を支持するように構成され、
前記少なくとも１つの支持バーは第１の支持バーと、該第１の支持バーに可動に接続される第２の支持バーとをさらに含む、請求項６に記載の支持アセンブリ。
【請求項８】
前記第１のケーブル管理装置は第１のクロスバーと、該第１のクロスバーに可動に接続される第２のクロスバーとを含み、
前記第１のクロスバーは前記第１のスライドレールアセンブリの第２のレールに取り外し可能に取り付けられ、前記第２のクロスバーは前記第２のスライドレールアセンブリの第４のレールに取り外し可能に取り付けられ、前記第２のクロスバーは伸縮可能に前記第１のクロスバーに接続されている、請求項６に記載の支持アセンブリ。
【請求項９】
第１のクロスバーと、該第１のクロスバーに可動に接続される第２のクロスバーとを含む第１のケーブル管理装置と、
第１のケーブル管理アーム、第２のケーブル管理アーム及び少なくとも１つの支持バーを含む第２のケーブル管理装置であって、該第２のケーブル管理アームは該第１のケーブル管理アームに枢結され、該少なくとも１つの支持バーは該第１のケーブル管理アーム及び該第２のケーブル管理アームのうちの一方を支持するように構成されている、第２のケーブル管理装置と、
を含むケーブル管理キットであって、
前記第１のケーブル管理装置は前記第２のケーブル管理装置と分かれている、ケーブル管理キット。
【請求項１０】
前記第２のクロスバーは伸縮可能に前記第１のクロスバーに接続されている、請求項９に記載のケーブル管理キット。
【発明の詳細な説明】
【技術分野】
【０００１】
本発明は支持アセンブリに関し、より具体的には２つのケーブル管理装置を含む支持アセンブリに関する。
【背景技術】
【０００２】
スライドレールアセンブリは、家具の引き出し又はラックシステム等の幅広い用途を有する。そのようなラックシステム内で、スライドレールアセンブリは物体（電子機器等）を保持するのに一般的に用いられる。保持物体はケーブル管理装置の支持が必要なケーブルを通常含む。ケーブル管理装置は前述のスライドレールアセンブリの２つのスライドレールに接続可能な２つの可動なケーブル管理アームを通常有する。
【０００３】
特許文献１に記載されているように、ケーブル管理アームのための支持スライドアセンブリ（１）は、第１のスライドアセンブリ（３０Ａ）及び第２のスライドアセンブリ（３０Ｂ）と共に用いることができる。支持スライドアセンブリ（１）は第１のロッド（１１）と、第１のロッド（１１）に摺動可能に接続される第２のロッド（１２）とを含み、支持スライドアセンブリ（１）はケーブル管理アーム（２）を支持するのに用いることができる。前述の２つのスライドアセンブリ（３０Ａ、３０Ｂ）のスライドレール（３１２、３１３）が第１のレール（３１１）に対して開く方向の方に動かされると、２つのケーブル管理アーム（２）は引っ込められた状態から伸長される。
【先行技術文献】
【特許文献】
【０００４】
【特許文献１】米国特許７７１２６１５号明細書
【特許文献２】米国特許９１４４１７４号明細書
【特許文献３】米国特許８２５１３２１号明細書
【特許文献４】米国特許８２３１０１４号明細書
【特許文献５】米国特許８１８６６３４号明細書
【特許文献６】米国特許７５５４８１９号明細書
【発明の概要】
【発明が解決しようとする課題】
【０００５】
しかしながら、市場の要求の変化に伴い、ケーブル管理アーム（２）を用いて保持物体のケーブルの一部を支持するのが十分でない場合がある。即ち、前述の保持物体のケーブルの他の部分が十分に保持されない場合がある。したがって、そのような特定の市場の要求を満たす新たな製品の開発が重要なテーマになっている。
【０００６】
本発明は２つのケーブル管理装置を含む支持アセンブリに関する。
【課題を解決するための手段】
【０００７】
本発明の一態様によれば、支持アセンブリは第１のスライドレールアセンブリと、第２のスライドレールアセンブリと、第１のケーブル管理装置と、第２のケーブル管理装置とを含む。第１のスライドレールアセンブリは第１のレールと、該第１のレールに対して可動な第２のレールとを含む。第２のスライドレールアセンブリは第３のレールと、該第３のレールに対して可動な第４のレールとを含む。第１のケーブル管理装置は第１のスライドレールアセンブリの第２のレール及び第２のスライドレールアセンブリの第４のレールに取り付けられる。第２のケーブル管理装置は第１のケーブル管理アーム及び第２のケーブル管理アームを含む。第１のケーブル管理アームは第１のスライドレールアセンブリの第１のレールに取り付けられ、第２のケーブル管理アームは第１のスライドレールアセンブリの第２のレールに取り付けられる。
【０００８】
第１のケーブル管理アームの一端は第２のケーブル管理アームの一端に枢結されることが好ましい。第１のケーブル管理アームの他端は第１のスライドレールアセンブリの第１のレールに取り外し可能に取り付けられるのに対して、第２のケーブル管理アームの他端は第１のスライドレールアセンブリの第２のレールに取り外し可能に取り付けられる。
【０００９】
第１のスライドレールアセンブリは、第１のレールに対する第２のレールの移動範囲を延ばすために第１のレール及び第２のレールを可動に接続する第１の中間レールをさらに含むことが好ましい。第２のスライドレールアセンブリは、第３のレールに対する第４のレールの移動範囲を延ばすために第３のレール及び第４のレールを可動に接続する第２の中間レールをさらに含む。
【００１０】
第２のケーブル管理装置は少なくとも１つの支持バーをさらに含むことが好ましい。少なくとも１つの支持バーは第１のケーブル管理アーム及び第２のケーブル管理アームのうちの一方を支持するように構成される。
【００１１】
少なくとも１つの支持バーの２つの端部のうちの一方は第１のスライドレールアセンブリの第１の中間レールに取り付けられ、少なくとも１つの支持バーの２つの端部のうちの他方は第２のスライドレールアセンブリの第３のレールの通路に取り付けられることが好ましい。あるいは、少なくとも１つの支持バーの２つの端部のうちの一方は第１のスライドレールアセンブリの第１の中間レールに取り付けられ、少なくとも１つの支持バーの２つの端部のうちの他方は第２のスライドレールアセンブリの第２の中間レールに取り付けられる。あるいは、少なくとも１つの支持バーの２つの端部のうちの一方は第１のスライドレールアセンブリの第１の中間レールに取り付けられ、少なくとも１つの支持バーの２つの端部のうちの他方は第２のスライドレールアセンブリの第３のレールに枢結される。
【００１２】
第１のケーブル管理装置は第１のクロスバーと、該第１のクロスバーに可動に接続される第２のクロスバーとを含むことが好ましい。
【００１３】
第１のクロスバーは第１のスライドレールアセンブリの第２のレールに取り外し可能に取り付けられ、第２のクロスバーは第２のスライドレールアセンブリの第４のレールに取り外し可能に取り付けられることが好ましい。
【００１４】
第２のクロスバーは伸縮可能に第１のクロスバーに接続されていることが好ましい。
【００１５】
本発明の別の態様によれば、ラックシステムのための支持アセンブリは第１のスライドレールアセンブリと、第２のスライドレールアセンブリと、保持物体と、第１のケーブル管理装置と、第２のケーブル管理装置とを含む。第１のスライドレールアセンブリはラックシステムの第１の側に取り付けられる。第２のスライドレールアセンブリはラックシステムの第２の側に取り付けられる。保持物体は第１のスライドレールアセンブリと第２のスライドレールアセンブリとの間に取り付けられる。第１のケーブル管理装置は保持物体と第２のケーブル管理装置との間にあり、保持物体の前側ケーブル区画を管理するのに用いられる。第２のケーブル管理装置は保持物体の後ろ側ケーブル区画が配置されるように構成されている。
【００１６】
本発明の別の態様によれば、ケーブル管理キットは第１のケーブル管理装置と、第２のケーブル管理装置とを含む。第１のケーブル管理装置は第１のクロスバーと、該第１のクロスバーに可動に接続される第２のクロスバーとを含む。第２のケーブル管理装置は第１のケーブル管理アーム、第２のケーブル管理アーム及び少なくとも１つの支持バーを含む。第２のケーブル管理アームは第１のケーブル管理アームに枢結され、少なくとも１つの支持バーは第１のケーブル管理アーム及び第２のケーブル管理アームのうちの一方を支持するように構成されている。第１のケーブル管理装置は第２のケーブル管理装置と分かれている。
【００１７】
様々な図面に図示する下記の好ましい実施形態の詳細な説明を読み終えた後、本発明の上記の目的及び他の目的が当業者に間違いなく明らかになる。
【図面の簡単な説明】
【００１８】
【図１】図１は、本発明の第１の実施形態に係る支持アセンブリを示す概略分解図である。
【図２】図２は、本発明の第１の実施形態に係る、ラックシステムで実施される支持アセンブリを示す概略図である。
【図３】図３は、本発明の第１の実施形態に係る、ラックシステムで実施される支持アセンブリを示す概略図であり、支持アセンブリは第１の所定の状態にある。
【図４】図４は、本発明の第１の実施形態に係る、ラックシステムで実施される支持アセンブリを示す概略図であり、支持アセンブリは第２の所定の状態にある。
【図５】図５は、本発明の第１の実施形態に係る、ラックシステムで実施される支持アセンブリを示す概略図であり、支持アセンブリのケーブル管理装置は第１の長さに調節されている。
【図６】図６は、本発明の第１の実施形態に係る、ラックシステムで実施される支持アセンブリを示す概略図であり、支持アセンブリのケーブル管理装置は第２の長さに調節されている。
【図７】図７は、本発明の第２の実施形態に係る、ラックシステムで実施される支持アセンブリを示す概略図である。
【図８】図８は、本発明の第３の実施形態に係る、ラックシステムで実施される支持アセンブリを示す概略図であり、支持アセンブリの別のケーブル管理装置が第１の状態にある。
【図９】図９は、本発明の第３の実施形態に係る、ラックシステムで実施される支持アセンブリを示す概略図であり、支持アセンブリの別のケーブル管理装置が第２の状態にある。
【発明を実施するための形態】
【００１９】
図１及び図２に示すように、本発明の第１の実施形態の支持アセンブリ２０は第１のスライドレールアセンブリ２２、第２のスライドレールアセンブリ２４、第１のケーブル管理装置２６及び第２のケーブル管理装置２８を含む。第１のケーブル管理装置２６及び第２のケーブル管理装置２８はケーブル管理キットを含む。
【００２０】
第１のスライドレールアセンブリ２２は第１のレール３０及び第２のレール３２を含み、第２のレール３２は第１のレール３０に対して長手方向に移動可能である。第１のスライドレールアセンブリ２２は、第１のレール３０に対する第２のレール３２の移動範囲を延ばすために第１のレール３０及び第２のレール３２を可動に接続する第１の中間レール３４をさらに含むことが好ましい。
【００２１】
第２のスライドレールアセンブリ２４は第３のレール３６及び第４のレール３８を含み、第４のレール３８は第３のレール３６に対して長手方向に移動可能である。第２のスライドレールアセンブリ２４は、第３のレール３６に対する第４のレール３８の移動範囲を延ばすために第３のレール３６及び第４のレール３８を可動に接続する第２の中間レール４０をさらに含むことが好ましい。
【００２２】
第１のケーブル管理装置２６は、第１のスライドレールアセンブリ２２の第２のレール３２及び第２のスライドレールアセンブリ２４の第４のレール３８に取り付けられる。第１のケーブル管理装置２６は第１のクロスバー４２及び第２のクロスバー４４を含むことが好ましい。第２のクロスバー４４は第１のクロスバー４２に可動に接続される。第２のクロスバー４４は伸縮可能に第１のクロスバー４２に接続されることが好ましい。例えば、第１のクロスバー４２及び第２のクロスバー４４のうちの一方は第１のクロスバー４２及び第２のクロスバー４４のうちの他方を取り付けるための通路を有する。そのため、第１のクロスバー４２及び第２のクロスバー４４はお互いに対して伸縮できる。第１のクロスバー４２は第１のスライドレールアセンブリ２２の第２のレール３２に取り外し可能に取り付けられる。第１のクロスバー４２は、第１のスライドレールアセンブリ２２に近い第２のレール３２の後端３２ａに第１の接続部材４６を通じて挿入、スナップ留め又は係止により取り外し可能に取り付けられることが好ましい。なお、本発明の取り付け方法は挿入、スナップ留め又は係止に限定されない。他方、第２のクロスバー４４は第２のスライドレールアセンブリ２４の第４のレール３８に取り外し可能に取り付けられる。第２のクロスバー４４は、第２のスライドレールアセンブリ２４に近い第４のレール３８の後端３８ａに第２の接続部材４８を通じて挿入、スナップ留め又は係止により取り外し可能に取り付けられることが好ましい。なお、本発明の取り付け方法は挿入、スナップ留め又は係止に限定されない。
【００２３】
第２のケーブル管理装置２８は第１のケーブル管理アーム５０及び第２のケーブル管理アーム５２を含む。ケーブル管理部５１は、ケーブルを収容又は支持するために第１のケーブル管理アーム５０及び第２のケーブル管理アーム５２に配置される。前述のケーブル管理部５１は、第１のケーブル管理アーム５０及び第２のケーブル管理アーム５２に取り外し可能に配置される収容スロット又は収容ボックスであり得るが、本発明はそのような構成に限定されない。さらに、第１のケーブル管理アーム５０は第１のスライドレールアセンブリ２２の第１のレール３０に取り付けられ、第２のケーブル管理アーム５２は第１のスライドレールアセンブリ２２の第２のレール３２に取り付けられる。第１のケーブル管理アーム５０の一端Ｅ１は第２のケーブル管理アーム５２の一端Ｅ２に枢結されることが好ましい。ここでは、第１のケーブル管理アーム５０の一端Ｅ１は、シャフト５３（シャフトの１つは図示していない）を用いて枢動ベース５４を通じて第２のケーブル管理アーム５２の一端Ｅ２に枢結されている。第１のケーブル管理アーム５０の他端Ｅ３は第３の接続部材５６に枢結され、他端Ｅ３は、第１のスライドレールアセンブリ２２に近い第１のレール３０の後端３０ａに第３の接続部材５６を通じて挿入、スナップ留め又は係止により取り外し可能に接続されることが好ましい。なお、本発明における取り付け方法は挿入、スナップ留め又は係止に限定されない。他方、第２のケーブル管理アーム５２の他端Ｅ４は第１の接続部材４６に枢結され、第１の接続部材４６は前述したように第１のスライドレールアセンブリ２２の第２のレール３２の後端３２ａに取り外し可能に取り付けられる。
【００２４】
第２のケーブル管理装置２８は少なくとも１つの支持バー５８をさらに含むことが好ましい。少なくとも１つの支持バー５８は、第１のケーブル管理アーム５０及び第２のケーブル管理アーム５２のうちの一方を支持するように構成されている。枢動ベース５４を通じて少なくと１つの支持バー５８を用いて第１のケーブル管理アーム５０の底部及び第２のケーブル管理アーム５２の底部を支持する場合を一例として以下で説明する。少なくとも１つの支持バー５８は２つの端部、例えば第１の端部Ｔ１及び第２の端部Ｔ２を含むことが好ましい。第１の端部Ｔ１は、第１のスライドレールアセンブリ２２に近い第１の中間レール３４の後端３４ａに第１の取り付け部材６０を通じて挿入、スナップ留め又は係止により取り外し可能に取り付けられることが好ましい。なお、本発明においては取り付け方法は挿入、スナップ留め又は係止に限定されない。他方、第２の端部Ｔ２は第２の取り付け部材６２が設けられ、第２の取り付け部材６２は、第２の中間レール４０の後ろに来るように第２のスライドレールアセンブリ２４の第３のレール３６の通路６４に可動に取り付けられる。
【００２５】
図２に示すように、支持アセンブリ２０はラックシステムに好適である。ラックシステムはラックを含み、第１のスライドレールアセンブリ２２はラックの第１の側Ｓ１に取り付けられる。他方、第２のスライドレールアセンブリ２４はラックの第２の側Ｓ２に取り付けられる。第１のスライドレールアセンブリ２２は、第１のブラケット６６及び第２のブラケット６８を通じてラックの第１の側Ｓ１の第１のポスト７０ａ及び第２のポスト７０ｂに取り付けられることが好ましい。他方、第２のスライドレールアセンブリ２４は、第３のブラケット７２及び第４のブラケット７４を通じてラックの第２の側Ｓ２の第３のポスト７０ｃ及び第４のポスト７０ｄに取り付けられる。
【００２６】
図３に示すように、第１のスライドレールアセンブリ２２はラックの第１の側Ｓ１に取り付けられ、第２のスライドレールアセンブリ２４はラックの第２の側Ｓ２に取り付けられる。ここでは、保持物体７６（例えば電子機器又はシャーシ）が第１のスライドレールアセンブリ２２と第２のスライドレールアセンブリ２４との間に取り付けられる。保持物体７６の２つの側が第１のスライドレールアセンブリ２２の第２のレール３２及び第２のスライドレールアセンブリ２４の第４のレール３８に取り付けられる場合を一例として以下で説明するが、本発明はそのような構成に限定されない。第１のケーブル管理装置２６は保持物体７６と第２のケーブル管理装置２８との間に位置する。例えば、保持物体７６は第１のケーブル管理装置２６の前側にあり、第２のケーブル管理装置２８は第１のケーブル管理装置２６の後ろ側にある。第１のケーブル管理装置２６は第２のケーブル管理装置２８と分かれている。即ち、第１のケーブル管理装置２６及び第２のケーブル管理装置２８は２つの独立したケーブル支持装置である。即ち、第１のケーブル管理装置２６は、保持物体７６から出ているケーブル７８の前側ケーブル区画７８ａに配置されるか又は支持するように構成され、第２のケーブル管理装置２８は、保持物体７６から出ているケーブル７８の後ろ側ケーブル区画７８ｂに配置されるか又は支持するように構成されている。さらに、第２のレール３２及び第４のレール３８は、保持物体７６がラック内の引っ込め位置にあるようにそれぞれ第１のレール３０及び第３のレール３６に対して引っ込めることができる。他方、第２のケーブル管理装置２８の第１のケーブル管理アーム５０及び第２のケーブル管理アーム５２はお互いに対して引っ込められた状態にある。
【００２７】
図４に示すように、第２のレール３２及び第４のレール３８は、保持物体７６が前述の引っ込め位置を離れてラックの外に出るようにそれぞれ第１のレール３０及び第３のレール３６に対して開く方向Ｄの方に動かすことができる。第１のケーブル管理装置２６は第２のレール３２及び第４のレール３８により開く位置Ｄの方に動かされる。他方、第２のレール３２が開く方向Ｄの方に移動するのに反応して、第２のケーブル管理装置２８の第２のケーブル管理アーム５２は、第２のケーブル管理アーム５２及び第１のケーブル管理アーム５０が互いに対して伸長するように動かされる。少なくとも１つの支持バー５８は第１の支持バー５８ａ及び第２の支持バー５８ｂを含むことが好ましい。第２の支持バー５８ｂは第１の支持バー５８ａに可動に接続されている（例えば伸縮可能に接続されている）。ここでは、第１の端部Ｔ１は第２の支持バー５８ｂに位置している。他方、第２の端部Ｔ２は第１の支持バー５８ａに位置している。
【００２８】
図５に示すように、ラックシステムにおけるラックの２つの側の間のラック幅Ｗ（例えば、第１のポスト７０ａと第３のポスト７０ｃとの間のラック幅Ｗ）は一般に所定のスペックを有する。第１の種類の幅を有する前述の保持物体７６に適合するために、第１の幅Ｗ１のスライドレールアセンブリ（例えば第１のスライドレールアセンブリ２２又は第２のスライドレールアセンブリ２４）を用いる必要が時としてある。ここでは、調節可能な第１の長さＬ１を有する第１のケーブル管理装置２６の第２のクロスバー４４（第１のクロスバー４２に対して伸長させるか又は引っ込めることを通じて長さが調節可能）は、第１の幅Ｗ１を有するスライドレールアセンブリのために適合されるか又は適応するように構成されている。
【００２９】
図６に示すように、保持物体７６は異なる要件の下では第２の幅を有し得ることが時としてある。したがって、第２の幅の保持物体７６に適応するために（前述の第１の幅Ｗ１とは異なる）第２の幅Ｗ２を有するスライドレールアセンブリ（例えば第１のスライドレールアセンブリ２２又は第２のスライドレールアセンブリ２４）が必要になる。ここでは、前述の第１の長さＬ１とは異なる調節可能な第２の長さＬ２を有する第１のケーブル管理装置２６の第２のクロスバー４４（第１のクロスバー４２に対して伸長させるか又は引っ込めることを通じて長さが調節可能）は、第２の幅Ｗ２を有するスライドレールアセンブリのために適合されるか又は適応するように構成されている。
【００３０】
図７は、本発明の第２の実施形態に係る支持アセンブリを示す。第２の実施形態の支持アセンブリと第１の実施形態の支持アセンブリ２０との実質的な違いは、第２の実施形態の第２のケーブル管理装置２００の少なくとも１つの支持バー２０２の第１の端部Ｔ１は第１のスライドレールアセンブリ２２に近い第１の中間レール３４の後端３４ａに第１の取り付け部材２０４を通じて挿入、スナップ留め又は係止により取り外し可能に取り付けられる一方、少なくとも１つの支持バー２０２の第２の端部Ｔ２は第２のスライドレールアセンブリ２４に近い第２の中間レール４０の後端４０ａに第２の取り付け部材２０６を通じて挿入、スナップ留め又は係止により取り外し可能に取り付けられる点である。そのような構成により、少なくとも１つの支持バー２０２を第１の中間レール３４及び第２の中間レール４０と共に動かすことができる。
【００３１】
図８及び図９は、本発明の第３の実施形態に係る支持アセンブリを示す。第３の実施形態の支持アセンブリと第１の実施形態の支持アセンブリ２０との実質的な違いは、第３の実施形態の第２のケーブル管理装置３００の少なくとも１つの支持バー３０２の第１の端部Ｔ１は第１のスライドレールアセンブリ２２に近い第１の中間レール３４の後端に第１の取り付け部材３０４を通じて挿入、スナップ留め又は係止により取り外し可能に取り付けられる一方、少なくとも１つの支持バー３０２の第２の支持バー３０２ｂの第２の端部Ｔ２は第２のスライドレールアセンブリ２４に近い第３のレール３６（固定レール）の後端に第２の取り付け部材３０６を通じて取り付けられる点である。第２の端部Ｔ２は第３のレール３６の後端の取り付けベース３０８に枢結されることが好ましい。そのような構成では、第１の中間レール３４が第１のレール３０に対して開く方向Ｄに動かされた場合に第２の支持バー３０２ｂは枢動及び揺動でき、第１の支持バー３０２ａは、第２のケーブル管理アーム３１２に対する第１のケーブル管理アーム３１０の伸長に適合するために第２の支持バー３０２ｂに対して引っ込められた状態から伸長した状態に変化できる。なお、図８及び図９に示す第３の実施形態では前述の第１のケーブル管理装置２６は図示されていない。
【００３２】
本発明に係る上記の実施形態から、支持アセンブリは以下の利点を有することが分かる。
【００３３】
１）第１のケーブル管理装置２６は第１のスライドレールアセンブリ２２の第２のレール３２及び第２のスライドレールアセンブリ２４の第４のレール３８に取り付けられ、第２のケーブル管理装置２８は第１のケーブル管理アーム５０及び第２のケーブル管理アーム５２を含む。第１のケーブル管理アーム５０は第１のスライドレールアセンブリ２２の第１のレール３０に取り付けられ、第２のケーブル管理アーム５２は第１のスライドレールアセンブリ２２の第２のレール３２に取り付けられる。
【００３４】
２）第１のケーブル管理装置２６及び第２のケーブル管理装置２８は、保持物体７６の後ろのケーブルの異なる区画（例えば前側ケーブル区画７８ａ及び後ろ側ケーブル区画７８ｂ）を支持するように構成された２つの独立したケーブル支持装置である。
【００３５】
３）幅が異なるスライドレールアセンブリに適合するために第１のケーブル管理装置２６の長さは調節できる。
【００３６】
４）第２のケーブル管理装置２８は少なくとも１つの支持バーを含み、少なくとも１つの支持バーは第１のケーブル管理アーム５０及び第２のケーブル管理アーム５２のうちの一方を支持するように構成されている。
【００３７】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３８】
２０  支持アセンブリ
２２  第１のスライドレールアセンブリ
２４  第２のスライドレールアセンブリ
２６  第１のケーブル管理装置
２８  第２のケーブル管理装置
３０  第１のレール
３２  第２のレール
３４  第１の中間レール
３６  第３のレール
３８  第４のレール
４０  第２の中間レール
４２  第１のクロスバー
４４  第２のクロスバー
４６  第１の接続部材
４８  第２の接続部材
５０  第１のケーブル管理アーム
５２  第２のケーブル管理アーム
５４  枢動ベース
５６  第３の接続部材
５８  少なくとも１つの支持バー
６０  第１の取り付け部材
６２  第２の取り付け部材
６４  通路
６６  第１のブラケット
６８  第２のブラケット
７０  ポスト
【図１】
2020017714.tif 000003
【図２】
2020017714.tif 000004
【図３】
2020017714.tif 000005
【図４】
2020017714.tif 000006
【図５】
2020017714.tif 000007
【図６】
2020017714.tif 000008
【図７】
2020017714.tif 000009
【図８】
2020017714.tif 000010
【図９】
2020017714.tif 000011
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
第１のレールと、該第１のレールに対して可動な第２のレールとを含む第１のスライドレールアセンブリと、
第３のレールと、該第３のレールに対して可動な第４のレールとを含む第２のスライドレールアセンブリと、
前記第１のスライドレールアセンブリの第２のレール及び前記第２のスライドレールアセンブリの第４のレールに取り付けられる第１のケーブル管理装置と、
第１のケーブル管理アーム及び第２のケーブル管理アームを含む第２のケーブル管理装置であって、該第１のケーブル管理アームは前記第１のスライドレールアセンブリの第１のレールに取り付けられ、該第２のケーブル管理アームは前記第１のスライドレールアセンブリの第２のレールに取り付けられる、第２のケーブル管理装置と、
を含む支持アセンブリ。
【請求項２】
前記第１のケーブル管理アームの一端は前記第２のケーブル管理アームの一端に枢結され、前記第１のケーブル管理アームの他端は前記第１のスライドレールアセンブリの第１のレールに取り外し可能に取り付けられ、前記第２のケーブル管理アームの他端は前記第１のスライドレールアセンブリの第２のレールに取り外し可能に取り付けられ、
前記第１のスライドレールアセンブリは、前記第１のレールに対する前記第２のレールの移動範囲を延ばすために前記第１のレール及び前記第２のレールを可動に接続する第１の中間レールをさらに含み、
前記第２のスライドレールアセンブリは、前記第３のレールに対する前記第４のレールの移動範囲を延ばすために前記第３のレール及び前記第４のレールを可動に接続する第２の中間レールをさらに含み、
前記第２のケーブル管理装置は少なくとも１つの支持バーをさらに含み、
前記少なくとも１つの支持バーは前記第１のケーブル管理アーム及び前記第２のケーブル管理アームのうちの一方を支持するように構成され、
前記少なくとも１つの支持バーの２つの端部のうちの一方は前記第１のスライドレールアセンブリの第１の中間レールに取り付けられ、前記少なくとも１つの支持バーの２つの端部のうちの他方は前記第２のスライドレールアセンブリの第３のレールの通路又は前記第２のスライドレールアセンブリの第２の中間レールのうちの一方に取り付けられるか又は前記第２のスライドレールアセンブリの第３のレールに枢結される、請求項１に記載の支持アセンブリ。
【請求項３】
前記第１のケーブル管理装置は第１のクロスバーと、該第１のクロスバーに可動に接続される第２のクロスバーとを含み、
前記第１のクロスバーは前記第１のスライドレールアセンブリの第２のレールに取り外し可能に取り付けられ、前記第２のクロスバーは前記第２のスライドレールアセンブリの第４のレールに取り外し可能に取り付けられ、前記第２のクロスバーは前記第１のクロスバーに対して伸長させること及び引っ込めることができるように前記第１のクロスバーに接続されている、請求項１に記載の支持アセンブリ。
【請求項４】
ラックシステムのための支持アセンブリであって、当該支持アセンブリは、
前記ラックシステムの第１の側に取り付けられる第１のスライドレールアセンブリであって、該第１のスライドレールアセンブリは第１のレールと、該第１のレールに対して可動な第２のレールとを含む、第１のスライドレールアセンブリと、
前記ラックシステムの第２の側に取り付けられる第２のスライドレールアセンブリであって、該第２のスライドレールアセンブリは第３のレールと、該第３のレールに対して可動な第４のレールとを含む、第２のスライドレールアセンブリと、
前記第１のスライドレールアセンブリと前記第２のスライドレールアセンブリとの間に取り付けられる保持物体と、
前記第１のスライドレールアセンブリの第２のレール及び前記前記第２のスライドレールアセンブリの第４のレールに取り付けられる第１のケーブル管理装置と、
第１のケーブル管理アーム及び第２のケーブル管理アームを含む第２のケーブル管理装置であって、該第１のケーブル管理アームは前記第１のスライドレールアセンブリの第１のレールに取り付けられ、該第２のケーブル管理アームは前記第１のスライドレールアセンブリの第２のレールに取り付けられる、第２のケーブル管理装置と、
を含み、
前記第１のケーブル管理装置は前記保持物体と前記第２のケーブル管理装置との間にあり、前記第１のケーブル管理装置は前記保持物体の前側ケーブル区画が配置されるように構成され、
前記第２のケーブル管理装置は前記保持物体の後ろ側ケーブル区画が配置されるように構成されている、支持アセンブリ。
【請求項５】
前記保持物体は前記第１のケーブル管理装置の前側にあり、前記第２のケーブル管理装置は前記第１のケーブル管理装置の後ろ側にある、請求項４に記載の支持アセンブリ。
【請求項６】
前記第１のケーブル管理アームの一端は前記第２のケーブル管理アームの一端に枢結され、前記第１のケーブル管理アームの他端は前記第１のスライドレールアセンブリの第１のレールに取り外し可能に取り付けられ、前記第２のケーブル管理アームの他端は前記第１のスライドレールアセンブリの第２のレールに取り外し可能に取り付けられ、
前記第１のスライドレールアセンブリは、前記第１のレールに対する前記第２のレールの移動範囲を延ばすために前記第１のレール及び前記第２のレールを可動に接続する第１の中間レールをさらに含み、
前記第２のスライドレールアセンブリは、前記第３のレールに対する前記第４のレールの移動範囲を延ばすために前記第３のレール及び前記第４のレールを可動に接続する第２の中間レールをさらに含み、
前記第２のケーブル管理装置は少なくとも１つの支持バーをさらに含み、
前記少なくとも１つの支持バーは前記第１のケーブル管理アーム及び前記第２のケーブル管理アームのうちの一方を支持するように構成され、
前記少なくとも１つの支持バーは第１の支持バーと、該第１の支持バーに可動に接続される第２の支持バーとをさらに含む、請求項４又は５に記載の支持アセンブリ。
【請求項７】
前記第１のケーブル管理装置は第１のクロスバーと、該第１のクロスバーに可動に接続される第２のクロスバーとを含み、
前記第１のクロスバーは前記第１のスライドレールアセンブリの第２のレールに取り外し可能に取り付けられ、前記第２のクロスバーは前記第２のスライドレールアセンブリの第４のレールに取り外し可能に取り付けられ、前記第２のクロスバーは前記第１のクロスバーに対して伸長させること及び引っ込めることができるように前記第１のクロスバーに接続されている、請求項４乃至６のいずれか一項に記載の支持アセンブリ。
【請求項８】
第１のクロスバーと、該第１のクロスバーに可動に接続される第２のクロスバーとを含む第１のケーブル管理装置と、
第１のケーブル管理アーム、第２のケーブル管理アーム及び少なくとも１つの支持バーを含む第２のケーブル管理装置であって、該第２のケーブル管理アームは該第１のケーブル管理アームに枢結され、該少なくとも１つの支持バーは該第１のケーブル管理アーム及び該第２のケーブル管理アームのうちの一方を支持するように構成されている、第２のケーブル管理装置と、
を含むケーブル管理キットであって、
前記第１のケーブル管理装置と前記第２のケーブル管理装置とは互いに独立してケーブルを管理できるように構成されている、ケーブル管理キット。
【請求項９】
前記第２のクロスバーは前記第１のクロスバーに対して伸長させること及び引っ込めることができるように前記第１のクロスバーに接続されている、請求項８に記載のケーブル管理キット。
【手続補正２】
【補正対象書類名】明細書
【補正対象項目名】００１４
【補正方法】変更
【補正の内容】
【００１４】
第２のクロスバーは第１のクロスバーに対して伸長させること及び引っ込めることができるように第１のクロスバーに接続されていることが好ましい。
【手続補正３】
【補正対象書類名】明細書
【補正対象項目名】００２２
【補正方法】変更
【補正の内容】
【００２２】
第１のケーブル管理装置２６は、第１のスライドレールアセンブリ２２の第２のレール３２及び第２のスライドレールアセンブリ２４の第４のレール３８に取り付けられる。第１のケーブル管理装置２６は第１のクロスバー４２及び第２のクロスバー４４を含むことが好ましい。第２のクロスバー４４は第１のクロスバー４２に可動に接続される。第２のクロスバー４４は第１のクロスバー４２に対して伸長させること及び引っ込めることができるように第１のクロスバー４２に接続されることが好ましい。例えば、第１のクロスバー４２及び第２のクロスバー４４のうちの一方は第１のクロスバー４２及び第２のクロスバー４４のうちの他方を取り付けるための通路を有する。そのため、第１のクロスバー４２及び第２のクロスバー４４は一方を他方に対して伸長させること及び引っ込めることができる。第１のクロスバー４２は第１のスライドレールアセンブリ２２の第２のレール３２に取り外し可能に取り付けられる。第１のクロスバー４２は、第１のスライドレールアセンブリ２２の第２のレール３２の後端３２ａに第１の接続部材４６を通じて挿入、スナップ留め又は係止により取り外し可能に取り付けられることが好ましい。なお、本発明の取り付け方法は挿入、スナップ留め又は係止に限定されない。他方、第２のクロスバー４４は第２のスライドレールアセンブリ２４の第４のレール３８に取り外し可能に取り付けられる。第２のクロスバー４４は、第２のスライドレールアセンブリ２４の第４のレール３８の後端３８ａに第２の接続部材４８を通じて挿入、スナップ留め又は係止により取り外し可能に取り付けられることが好ましい。なお、本発明の取り付け方法は挿入、スナップ留め又は係止に限定されない。
【手続補正４】
【補正対象書類名】明細書
【補正対象項目名】００２３
【補正方法】変更
【補正の内容】
【００２３】
第２のケーブル管理装置２８は第１のケーブル管理アーム５０及び第２のケーブル管理アーム５２を含む。ケーブル管理部５１は、ケーブルを収容又は支持するために第１のケーブル管理アーム５０及び第２のケーブル管理アーム５２に配置される。前述のケーブル管理部５１は、第１のケーブル管理アーム５０及び第２のケーブル管理アーム５２に取り外し可能に配置される収容スロット又は収容ボックスであり得るが、本発明はそのような構成に限定されない。さらに、第１のケーブル管理アーム５０は第１のスライドレールアセンブリ２２の第１のレール３０に取り付けられ、第２のケーブル管理アーム５２は第１のスライドレールアセンブリ２２の第２のレール３２に取り付けられる。第１のケーブル管理アーム５０の一端Ｅ１は第２のケーブル管理アーム５２の一端Ｅ２に枢結されることが好ましい。ここでは、第１のケーブル管理アーム５０の一端Ｅ１は、シャフト５３（シャフトの１つは図示していない）を用いて枢動ベース５４を通じて第２のケーブル管理アーム５２の一端Ｅ２に枢結されている。第１のケーブル管理アーム５０の他端Ｅ３は第３の接続部材５６に枢結され、他端Ｅ３は、第１のスライドレールアセンブリ２２の第１のレール３０の後端３０ａに第３の接続部材５６を通じて挿入、スナップ留め又は係止により取り外し可能に接続されることが好ましい。なお、本発明における取り付け方法は挿入、スナップ留め又は係止に限定されない。他方、第２のケーブル管理アーム５２の他端Ｅ４は第１の接続部材４６に枢結され、第１の接続部材４６は前述したように第１のスライドレールアセンブリ２２の第２のレール３２の後端３２ａに取り外し可能に取り付けられる。
【手続補正５】
【補正対象書類名】明細書
【補正対象項目名】００２４
【補正方法】変更
【補正の内容】
【００２４】
第２のケーブル管理装置２８は少なくとも１つの支持バー５８をさらに含むことが好ましい。少なくとも１つの支持バー５８は、第１のケーブル管理アーム５０及び第２のケーブル管理アーム５２のうちの一方を支持するように構成されている。枢動ベース５４を通じて少なくと１つの支持バー５８を用いて第１のケーブル管理アーム５０の底部及び第２のケーブル管理アーム５２の底部を支持する場合を一例として以下で説明する。少なくとも１つの支持バー５８は２つの端部、例えば第１の端部Ｔ１及び第２の端部Ｔ２を含むことが好ましい。第１の端部Ｔ１は、第１のスライドレールアセンブリ２２の第１の中間レール３４の後端３４ａに第１の取り付け部材６０を通じて挿入、スナップ留め又は係止により取り外し可能に取り付けられることが好ましい。なお、本発明においては取り付け方法は挿入、スナップ留め又は係止に限定されない。他方、第２の端部Ｔ２は第２の取り付け部材６２が設けられ、第２の取り付け部材６２は、第２の中間レール４０の後ろに来るように第２のスライドレールアセンブリ２４の第３のレール３６の通路６４に可動に取り付けられる。
【手続補正６】
【補正対象書類名】明細書
【補正対象項目名】００２７
【補正方法】変更
【補正の内容】
【００２７】
図４に示すように、第２のレール３２及び第４のレール３８は、保持物体７６が前述の引っ込め位置を離れてラックの外に出るようにそれぞれ第１のレール３０及び第３のレール３６に対して開く方向Ｄの方に動かすことができる。第１のケーブル管理装置２６は第２のレール３２及び第４のレール３８により開く位置Ｄの方に動かされる。他方、第２のレール３２が開く方向Ｄの方に移動するのに反応して、第２のケーブル管理装置２８の第２のケーブル管理アーム５２は、第２のケーブル管理アーム５２及び第１のケーブル管理アーム５０が互いに対して伸長するように動かされる。少なくとも１つの支持バー５８は第１の支持バー５８ａ及び第２の支持バー５８ｂを含むことが好ましい。第２の支持バー５８ｂは第１の支持バー５８ａに可動に接続されている（例えば伸長させること及び引っ込めることができるように接続されている）。ここでは、第１の端部Ｔ１は第２の支持バー５８ｂに位置している。他方、第２の端部Ｔ２は第１の支持バー５８ａに位置している。
【手続補正７】
【補正対象書類名】明細書
【補正対象項目名】００３０
【補正方法】変更
【補正の内容】
【００３０】
図７は、本発明の第２の実施形態に係る支持アセンブリを示す。第２の実施形態の支持アセンブリと第１の実施形態の支持アセンブリ２０との実質的な違いは、第２の実施形態の第２のケーブル管理装置２００の少なくとも１つの支持バー２０２の第１の端部Ｔ１は第１のスライドレールアセンブリ２２の第１の中間レール３４の後端３４ａに第１の取り付け部材２０４を通じて挿入、スナップ留め又は係止により取り外し可能に取り付けられる一方、少なくとも１つの支持バー２０２の第２の端部Ｔ２は第２のスライドレールアセンブリ２４の第２の中間レール４０の後端４０ａに第２の取り付け部材２０６を通じて挿入、スナップ留め又は係止により取り外し可能に取り付けられる点である。そのような構成により、少なくとも１つの支持バー２０２を第１の中間レール３４及び第２の中間レール４０と共に動かすことができる。
【手続補正８】
【補正対象書類名】明細書
【補正対象項目名】００３１
【補正方法】変更
【補正の内容】
【００３１】
図８及び図９は、本発明の第３の実施形態に係る支持アセンブリを示す。第３の実施形態の支持アセンブリと第１の実施形態の支持アセンブリ２０との実質的な違いは、第３の実施形態の第２のケーブル管理装置３００の少なくとも１つの支持バー３０２の第１の端部Ｔ１は第１のスライドレールアセンブリ２２の第１の中間レール３４の後端に第１の取り付け部材３０４を通じて挿入、スナップ留め又は係止により取り外し可能に取り付けられる一方、少なくとも１つの支持バー３０２の第２の支持バー３０２ｂの第２の端部Ｔ２は第２のスライドレールアセンブリ２４の第３のレール３６（固定レール）の後端に第２の取り付け部材３０６を通じて取り付けられる点である。第２の端部Ｔ２は第３のレール３６の後端の取り付けベース３０８に枢結されることが好ましい。そのような構成では、第１の中間レール３４が第１のレール３０に対して開く方向Ｄに動かされた場合に第２の支持バー３０２ｂは枢動及び揺動でき、第１の支持バー３０２ａは、第２のケーブル管理アーム３１２に対する第１のケーブル管理アーム３１０の伸長に適合するために第２の支持バー３０２ｂに対して引っ込められた状態から伸長した状態に変化できる。なお、図８及び図９に示す第３の実施形態では前述の第１のケーブル管理装置２６は図示されていない。